(57)【要約】【課題】  極めて簡単な構成により、プラテンガラス破損の危惧、或いは、オペレータに与える不安を払拭することができる画像形成装置を提供することにある。【解決手段】  プラテンガラスに対して開閉可能に設けられた自動原稿搬送装置を有する画像形成装置において、前記プラテンガラスが占有する領域よりも外側の領域にある前記画像形成装置の本体一部に基準面を設けるとともに、当該基準面の位置に対応した前記自動原稿搬送装置の枠体下部に、基準面と当接する位置規制部材を設けたことを特徴とする画像形成装置。【選択図】        図５
2005274810.tif 000002
【特許請求の範囲】
【請求項１】
プラテンガラスに対して開閉可能に設けられた自動原稿搬送装置を有する画像形成装置において、前記プラテンガラスが占有する領域よりも外側の領域にある前記画像形成装置の本体一部に基準面を設けるとともに、当該基準面の位置に対応した前記自動原稿搬送装置の枠体下部に、基準面と当接する位置規制部材を設けたことを特徴とする画像形成装置。
【請求項２】
前記位置規制部材は前記自動原稿搬送装置の枠体と一体成型により形成されたものであることを特徴とする請求項１に記載の画像形成装置。
【請求項３】
プラテンガラスに対して開閉可能に設けられた自動原稿搬送装置を有する画像形成装置において、前記プラテンガラスが占有する領域よりも外側の領域にある前記画像形成装置の本体一部に位置規制部材を設けるとともに、当該位置規制部材と当接する基準面を、前記自動原稿搬送装置の枠体下部に設けたことを特徴とする画像形成装置。
【発明の詳細な説明】
【技術分野】
【０００１】
本発明は自動原稿搬送装置を有する画像形成装置に関し、特に、画像形成装置本体に設けられるプラテンガラスに対して、安心して自動原稿搬送装置を開閉できるように改良した画像形成装置に係わる。
【背景技術】
【０００２】
多数枚の原稿を収納トレーに収納し、複写動作に応じて原稿を１枚ずつ自動分離、搬送させ、読み取り装置によって読み取った画像情報の画像データに基づいて、帯電処理後の像担持体に書込を行って静電化潜像（以下、単に潜像という）を作成し、当該潜像を現像装置によりトナー像となした後、普通紙等からなる転写材上に転写し、定着装置によって前記転写材上に定着する構成の自動原稿搬送装置（以下、ＡＤＦと言う）を有する複写機、或いは、プリンタ等の画像形成装置はよく知られている。
【０００３】
また、前記ＡＤＦはプラテンガラスの上面に対して開閉可能であるように画像形成装置本体にヒンジ手段で結合されている。
【０００４】
上述の如きＡＤＦはプラテンガラス上に原稿を搬送するための搬送ベルトを有するとともに、４個のスペーサを持ち、これらスペーサがプラテンガラスに対して均一な重量でセットされるように構成することにより、プラテンガラスの表面に対して搬送ベルトが一様に接触するように考慮されている（例えば、特許文献１参照。）。
【特許文献１】特開平５−８８４８５号公報（段落番号００１４〜００１７、図５）
【発明の開示】
【発明が解決しようとする課題】
【０００５】
しかしながら、前記特許文献１に開示されたＡＤＦにおいては、スペーサ５４、５５とプラテンガラスの上面とが直接接触する構成であるため、例えば、ＡＤＦに不慮の負荷がかかったりした場合、プラテンガラスを破損させたり、或いは、破損したガラスによってオペレータがケガをする危惧があった。
【０００６】
また、上記の如き危険性を除外したとしても、ＡＤＦの開閉の都度にスペーサを介して当該ＡＤＦがプラテンガラスに当接する態様は、オペレータにとってあまり感じの良いものではなく、少なからず不安を引き起こす原因になっている。
【０００７】
本発明は、上記のような不具合に鑑みてなされたもので、その目的は、極めて簡単な構成により前述の如きプラテンガラス破損の危惧、或いは、オペレータに与える不安を払拭することができる画像形成装置を提供することにある。
【課題を解決するための手段】
【０００８】
本発明の目的は、下記の構成によって達成することができる。
【０００９】
（１）プラテンガラスに対して開閉可能に設けられた自動原稿搬送装置を有する画像形成装置において、前記プラテンガラスが占有する領域よりも外側の領域にある前記画像形成装置の本体一部に基準面を設けるとともに、当該基準面の位置に対応した前記自動原稿搬送装置の枠体下部に、基準面と当接する位置規制部材を設けたことを特徴とする画像形成装置。
【００１０】
（２）前記位置規制部材は前記自動原稿搬送装置の枠体と一体成型により形成されたものであることを特徴とする前記（１）に記載の画像形成装置。
【００１１】
（３）プラテンガラスに対して開閉可能に設けられた自動原稿搬送装置を有する画像形成装置において、前記プラテンガラスが占有する領域よりも外側の領域にある前記画像形成装置の本体一部に位置規制部材を設けるとともに、当該位置規制部材と当接する基準面を、前記自動原稿搬送装置の枠体下部に設けたことを特徴とする画像形成装置。
【発明の効果】
【００１２】
割れるものであるという観念があるプラテンガラスとは全く関係のないところでＡＤＦの閉時の位置規制を行うことにより、プラテンガラスの上面と当該プラテンガラスと対向する搬送ベルトとの位置を設定するので、ＡＤＦが基でのプラテンガラスの破損は完全に排除でき、また、オペレータに余計な不安を与えることがない。
【発明を実施するための最良の形態】
【００１３】
本発明に係わる実施の形態について、以下、図面を参照しながら説明する。
【００１４】
図１は、本発明に係わる画像形成装置の実施の形態を示す概略図であり、ここでは、当該画像形成装置は、デジタルカラー複写機として示されるが、本発明に係わる画像形成層値は、モノクロとかカラーに限定されるものではなく、また、複写機、プリンタに特定されるものではない。
【００１５】
本実施の形態における画像形成装置は、装置本体上部に自動原稿搬送装置（以下、ＡＤＦという）１を有するとともに、内部に画像読み取り部（読み取り装置）２、画像形成部３、ベルトユニット４のためのベルト設置部、給紙部５、定着装置Ｔ、反転排紙・再給紙部６、および、反転搬送手段であるＡＤＵ７を有している。
【００１６】
前記ＡＤＦ１は、原稿を１枚ずつ送り出して画像読み取り位置へと搬送し、画像読み取りが終わった原稿を所定の場所に排出する装置である。
【００１７】
前記ＡＤＦ１は、原稿を載置する原稿載置台１０１、載置された原稿を給紙する給紙ローラ１０３、給紙された原稿の更に送り出す送り出しローラ１０４と重送を防止する重送防止ローラ１０５とからなるローラ対、レジストローラ（対）１０７、原稿をプラテンガラスＧ上に位置づけ、また、当該場所から排出する搬送ベルト１１０、搬送ベルト１１０により送られてくる原稿を原稿排出ローラ１５０に向けて排出したり、原稿を反転させた後に再度前記プラテンガラスＧ上に送り込む原稿反転・排出部１３０、排出された原稿を収納する排出原稿用トレー１６０、外装カバー１７０等からなる（ＡＤＦを斜目上方から見た模式図である図２も参照）。参照符号１８０は複写倍率、トナー濃度、複写枚数設定等を行うための液晶タッチパネルを含む操作部である。
【００１８】
前記搬送ベルト１１０は、駆動ローラ１１１と従動ローラ１１３によって可回転に懸架・支持されている。
【００１９】
また、搬送ベルト１１０のループ内には、当該搬送ベルトを介して原稿をプラテンガラスＧ上に一様に押しつける機能を有する複数の押圧ローラ１１５が配設してある。
【００２０】
参照符号１１６は、搬送ベルト１１０内であって前記原稿載置台１０１側に設けた突き当てローラである。
【００２１】
前記原稿反転・排出部１３０と原稿排出ローラ１５０との間にあるのは、原稿の搬送路を選択的に切り換える通路切り換え部材１３５である。
【００２２】
前記通路切り換え部材１３５は、プラテンガラスＧ上から搬送されてくる原稿を、原稿反転・排出部１３０に形成されているループ状の原稿搬送路の途中から原稿排出ローラ１５０に向かわせたり、原稿反転・排出部１３０においてループを描かせて原稿の表裏を反転せしめるべく画像形成条件によって適宜に制御され、第１の位置または第２の位置に保持される。
【００２３】
このような構成のＡＤＦ１は、図の奥側において画像形成装置本体の上部にヒンジ結合されており、プラテンガラスＧの上部において開閉可能に支持されている。
【００２４】
これは、例えば、ブックものからの画像形成においてはＡＤＦを使用することができず、そのような場合、オペレータはＡＤＦ１を押し上げて原稿をプラテンガラスＧ上に載置し、手で往圧しながら操作を行ったり、薄手のブック物の場合には，ＡＤＦの重量を利用して原稿を押圧して画像形成をすることが考えられ、開閉可能とした構成は、例えばこのような場合に備えたものである。
【００２５】
また、レジストローラを駆動するモータや搬送ベルトを駆動するモータ等、駆動伝達系を構成する部材はヒンジ結合されている側に設けられている。
【００２６】
以上のような構成を有するＡＤＦを処理プロセスがらみで述べるに、前記原稿載置台１０１上に載置された複数枚の原稿（不図示）は、給紙ローラ１０３により給紙され、重送防止ローラ１０５により１枚づつ分離された後、レジストローラ１０７で先端規制され、プロセス制御に従うレジストローラ１０７の回転開始によってプラテンガラスＧに向けて送り出され、以後、搬送ベルト１１０の搬送作用を受けてプラテンガラスＧ上を滑りながら図の右方に搬送され、所定位置に位置づけられる。
【００２７】
プラテンガラスＧ上における位置付け制御は次のように行われる。
【００２８】
上記の原稿位置付けの直前、直後の状態が、模式図である図３、図４により示される。
【００２９】
即ち、駆動ローラ１１１の近傍に設けてある原稿検知センサ１２０が、搬送方向における原稿Ｄの後端を検知してから所定時間後に搬送ベルト１１０の駆動を停止させる。
【００３０】
このとき、原稿Ｄの後端は、プラテンガラスＧの一方の側（原稿搬送方向に見て上流側）に設けてあるスケール板（手操作で原稿を載置する場合に使用される、原稿の載置位置表示がある突き当て部材）１２５を通過した所定位置にある。
【００３１】
直後に、前記搬送ベルト１１０を逆方向に回転せしめ、原稿Ｄの後端が前記スケール板１２５に当接するまで戻すことにより原稿の位置付けがなされる。
【００３２】
この際、突き当てローラ１１６は、逆方向に搬送される原稿が、前記スケール板１２５を乗り越えることを防止する。
【００３３】
所定位置におかれた原稿の読み取りは、後述する読み取り装置により行われる。
【００３４】
読み取り走査が終了した原稿は搬送ベルト１１０により原稿反転・排出部１３０に送られ、かつ、ループ状の原稿搬送路を搬送されることにより反転され、再度，前述の如き位置に位置付けられて読み取り装置２により読み取られた後、前記原稿反転・排出部１３０の搬送路途中から、既に搬送路を切り換えている切り換え部材１３５、および、原稿排出ローラ１５０を介して排出原稿用トレー１６０に排出される。
【００３５】
或いは、原稿画像が片面の場合、読み取り走査終了後、反転されることなく搬送され、そのまま原稿排出ローラ１５０を介して排出原稿用トレー上に排出される。
【００３６】
上記の如くの処理が全原稿に対して行われると、ＡＤＦおよび画像形成装置は待機状態となり、次の処理指令を待つことになる。
【００３７】
プラテンガラスＧに対するＡＤＦ上の位置規制部材、および、当該位置規制部材が当接する基準面との関係等については後述することとして、次に、ＡＤＦ１以外の構成について述べる。
【００３８】
前記画像読み取り装置２は、前記ＡＤＦの下側に設けられており、原稿を照射するためのランプ２１３と原稿からの反射光を反射させる第１ミラー２１５とを一体化してなる第１ミラーユニット２０５と、第１ミラー２１５からの光を反射させる第２ミラー２１７と第３ミラー２１９とを略Ｖ字状に一体化してなる第２ミラーユニット２０７と、当該第３ミラー２１９からの反射光を撮像素子上に結像させる結像レンズ２０９、および、結像レンズ２０９によって結像された光像を光電変換して画像情報を得るライン状の撮像素子（以下、ＣＣＤという）２１１を有している。
【００３９】
前記第１ミラーユニット２０５と第２ミラーユニット２０７とは光路長を保ちながら左右水平方向に往復移動し、往動時にランプ２１３が点灯してプラテンガラスＧ上の原稿を読み取る。
【００４０】
そして、読み取られた原稿画像情報は、適宜の画像処理を施された後、一旦、図示しないメモリに蓄積されるようになっている。
【００４１】
前記画像読み取り装置２によって読み取られた各色毎の画像信号はメモリより順次取り出され、静電荷潜像形成手段である各露光光学系にそれぞれ電気信号として入力される。
【００４２】
前記画像形成部３は色分解画像に応じたトナー像を形成するイエロー（Ｙ）、マゼンタ（Ｍ）、シアン（Ｃ）、黒（ＢＫ）の４組の画像形成手段（以下、画像形成ユニットという）３０を含む。
【００４３】
それぞれの画像形成ユニット３０は、例えば、有機光導電体を含有させたポリカーボネイトなどの樹脂よりなる感光層をドラム状の金属基体上に設けてなる像担持体（以下、感光体ドラムという）３１０、スコロトロン形式からなる帯電器３２０、画像書き込み手段である露光光学系３３０、静電荷潜像を顕像化する現像装置８、転写手段３４０、転写後の感光体ドラム３１０の表面をクリーニングするブレード（クリーニング手段）を含むクリーニング装置３５０を主要構成要素とする。
【００４４】
前記現像装置８は、磁性キャリア（以下、単にキャリアという）と非磁性トナー（以下、単にトナーという）とを含む二成分現像剤を内蔵し、また、位置固定であって周方向に複数の磁極を配列せしめた磁石を内蔵する可回転、かつ、非磁性の円筒形状からなる現像剤担持体（現像スリーブ）等を有している。
【００４５】
なお、前記露光光学系３３０はレーザ光学系で構成される露光ユニットであり、また、前記転写手段３４０は後述する回転ベルト４０１を介して前記感光体ドラム３１０の周面一部に対向している。
【００４６】
上述した４組の前記画像形成ユニットの機械的構成は基本的に同じであるので、参照符号は１組みのユニットについてのみ付し、他は省略することとする。
【００４７】
それぞれの画像形成ユニット３０は、ベルト設置部において縦方向に長く配設された、ベルトユニット４を構成するループ状の回転ベルト（以下、中間転写ベルトという）４０１の一平面（張設面）Ａに沿って、上から、イエロー、マゼンタ、シアン、黒の順に配列されている。
【００４８】
前記中間転写ベルト４０１と、当該中間転写ベルトを回転可能に懸架する支持ローラ４０５、４０６、４０７、および、バックアップローラ４１０等がベルトユニット４を構成し、また、前記バックアップローラ４１０は、中間転写ベルト４０１を挟んで当該バックアップローラと押圧しながら回転するように対向配置した転写ローラ５１０とで二次転写手段を構成している。
【００４９】
上記の画像形成ユニット３０とベルトユニット４の構成とによる画像形成は次のようになされる。
【００５０】
画像形成プロセスの開始に伴って、反時計方向に回転する感光体ドラム３１０の表面は帯電器３２０により所定の極性に帯電される。
【００５１】
次いで、露光光学系３３０による第１の色信号、即ち、イエロー（Ｙ）の画像信号に対応する露光が施され、当該（Ｙ）の画像に対応する潜像が前記感光体ドラム３１０上に形成される。
【００５２】
前記潜像は現像装置８の現像剤による接触または非接触現像処理により反転現像されて（Ｙ）のトナー像に変換された後、転写手段３４０の作用によって中間転写ベルト４０１上に転写される。
【００５３】
第１の色信号による画像形成開始から所定の時間後に順次開始される他の色信号による画像形成は上記と同様のプロセスにより、マゼンタ（Ｍ）、シアン（Ｃ）、黒（ＢＫ）の各画像形成ユニットによって行われ、それぞれのトナー像が前記（Ｙ）のトナー像のある画像領域と重畳するように順次転写され、前記中間転写ベルト４０１上に重ね合わせのカラートナー像が形成される。
【００５４】
一方、転写処理終了後の前記感光体ドラム３１０の表面はクリーニング装置３５０で清掃され、新たな画像形成のための準備が整えられる。
【００５５】
なお、前記感光体ドラム３１０、あるいは、中間転写ベルト４０１に対する個々の画像形成プロセスの開始タイミングは、前記中間転写ベルト４０１の一方の側、本実施の形態においては外側であって、前記中間転写ベルトの回転方向に見て、前記転写ローラ５１０のある位置から１組目（イエロー）の画像形成ユニットが設けてある位置までの区間に付設したレジストセンサ４１３が、当該中間転写ベルト４０１に設けた、例えば、塗料を用いて形成した基準マークを検知した時を起点として計時を行い、所定時間経過毎に、順次、（Ｙ）、（Ｍ）、（Ｃ）、（ＢＫ）プロセスを開始させるように構成してある。
【００５６】
前記レジストセンサ４１３による検知信号を取り込み、計時を監視するとともに、個々のプロセス等に関する制御はコンピュータを含む制御部（制御手段）Ｓで行う。
【００５７】
次に、中間転写ベルト上に形成されたカラートナー像が用紙Ｐに転写され、装置外に排紙されるまでの工程に絡めて、装置のその他の構成につき簡単に述べる。
【００５８】
前記中間転写ベルト４０１上における画像形成に対応した適宜のタイミングで、用紙Ｐが給紙部５の送り出し部５０１（５１１、５２１）に位置する給紙ローラ５０３（５１３、５２３）によって給紙され、レジストローラ５５１に向けて搬送される。
【００５９】
しかる後、前記用紙Ｐは、前記レジストローラ５５１の回転再開によって前記中間転写ベルト４０１上のカラートナー像領域と重畳するように再給紙され、二次転写部において前記バックアップローラ４１０と前記転写ローラ５１０とにより前記中間転写ベルトとともに押圧挟持されながらニップ部から送り出され、この間に、前記中間転写ベルト４０１上に担持（形成）されたカラートナー画像が前記用紙Ｐ上に転写される。
【００６０】
トナー像が転写された前記用紙Ｐは、例えば、不図示の分離爪の作用を受けながら前記中間転写ベルト４０１から分離され、定着装置Ｔに向けて搬送される。
【００６１】
前記定着装置Ｔは定着ヒータを内蔵する定着ローラＴ１と、当該定着ローラと圧接しながら回転する圧着ローラＴ２とを有し、画像を形成しているカラートナーは、両ローラによる加熱・加圧により溶融され、用紙Ｐ上に定着される。
【００６２】
定着装置Ｔによる定着処理終了後の用紙Ｐは、その下流に設けてある排紙ローラ６０３により搬送され、装置本体外に設けてある排紙トレイ上に排出される。
【００６３】
一方、二次転写終了後の前記中間転写ベルト４０１の表面はブレードからなるクリーニング手段４１５によってクリーニングされ、新たなトナー像を担持する準備がなされる。
【００６４】
図において、通路切替部材６０１の実線位置は定着処理後に用紙Ｐの上下面を反転させて排出する場合に保持される位置であり、破線位置は、上述の如く、定着装置から送り出された用紙をそのまま排出する際に保持される位置である。
【００６５】
例えば、用紙Ｐの反転排出においては、前記定着装置Ｔから送り出された用紙Ｐは前記通路切替部材６０１の右側の辺に沿って下方に案内され、ローラ対６０２によって進行方向における後端が挟持された状態とされた後の当該ローラ対６０２の逆回転により上昇され、前記切替部材６０１の左側の辺を通って前記排紙ローラ６０３に達し、かつ、当該排紙ローラで排出されるように規制される。
【００６６】
更に、前記ＡＤＵ７を用いる両面コピーモードの場合の用紙Ｐの挙動は、反転排出の場合と同様に、片面に画像が形成された定着処理後の用紙Ｐを前記切替部材６０１の右側の辺に沿って下方に導き、進行方向における用紙Ｐの後端をローラ対６０５により挟持した状態で搬送停止せしめた後、当該ローラ対６０５を逆回転せしめ、ガイド板Ｇに沿って上昇させ、複数のローラ対７０１、７０３、７０５を有するＡＤＵ７に導くことで用紙Ｐの反転を達成する。
【００６７】
次に図５、図６を用いて本発明に係わるＡＤＦの位置規制のための構成について説明する。
【００６８】
図５はＡＤＦを持ち上げてプラテンガラス上を解放した状態を示す模式図であり、図６はＡＤＦの下面を拡大して示す模式図である。
【００６９】
図において、既出の部材（手段）と同じものについては同一の参照符号を付してあり、説明は必要に応じて行うこととする。
【００７０】
図中、１９０はヒンジ（結合手段）で、ＡＤＦ１を画像形成装置本体に対して開閉可能に支持している。
【００７１】
そして、閉状態からオペレータによる開動作がなされると、プラテンガラスＧ上には解放空間が形成され、閉動作がなされると、搬送ベルト１１０がプラテンガラスに対して所定の位置に規制され、当該プラテンガラスＧを覆う構成を有している。
【００７２】
開状態においてＡＤＦを所定の角度で維持する構成を含み、基本的な構成はよく知られているので説明は割愛する。
【００７３】
なお、本実施の形態におけるＡＤＦの搬送ベルト１１０の幅（図において回転方向と直交する方向を指す）寸法は、前記プラテンガラスＧの幅（プラテンガラスの幅に対応した方向を指す）寸法内にある。
【００７４】
また、参照符号１９３は画像形成装置本体の上面に設けた基準面を示し、参照符号１９５はＡＤＦ１の枠体（本体）下部に設けた位置規制部材で、両者は、ＡＤＦの閉状態において接触する位置関係を有する。
【００７５】
前記基準面１９３は、画像形成装置本体の外装の上面であって、プラテンガラスＧが配設されている領域に対しては、その外側領域に位置すべく設けてある。
【００７６】
また、例えば、前記外装面が装置設置の状態において水平面をなしている場合には、当該外装面を基準面とすることができ、また、外装面が水平面でない場合には、別部材を貼り付けたり、或いは、外装が樹脂からなる場合には、基準面が水平面となるように外装と一体成型により形成することができる。
【００７７】
なお、前記基準面は水平面であることには拘束されず、傾斜面である外装表面をそのまま使用することもでき、設計の自由度は広い。
【００７８】
前記基準面或いは基準面としての領域は、本実施の形態においてはプラテンガラスを挟んで、前述した幅の両側に２箇所ずつ計４箇所ある。
【００７９】
また、前記位置規制部材１９５は、当然のことながら、閉状態において前記基準面或いは基準領域上に重なる４箇所に設けてあり、ＡＤＦの枠体の下面から頂部までが所定長を有するように、ＡＤＦの枠体と一体成型で形成してある。
【００８０】
勿論、当該位置規制部材１９５は前記枠体と別部材で形成してもよく、形状や大きさ等も制限されるものではない。
【００８１】
また、前記位置規制部材１９５、基準面１９３の数や場所等についても、所期目的を達成できる構成である限り、本実施の形態に拘束されるものではない。
【００８２】
場合によっては、画像形成装置本体側に突出した位置規制部材を設けるとともに、ＡＤＦ側に基準面を設けることも可能である。
【００８３】
上述の如く、本発明においては、プラテンガラスＧに対するＡＤＦの位置を決める手段として機能する位置規制部材と基準面とをプラテンガラスＧが存在しない領域に設けたので、ＡＤＦが基となってのプラテンガラスの破損についての危惧は完全に排除でき、また、ＡＤＦの開閉操作において、プラテンガラスを破損してしまうかもしれないという、視覚を介してのオペレータの精神的な苦痛を払拭でき、余計な不安を与えることがない。
【図面の簡単な説明】
【００８４】
【図１】本発明に係わる画像形成装置の実施の形態を示す概略図である。
【図２】ＡＤＦを斜目上方から見た模式図である。
【図３】原稿位置付けの直前の状態を示す模式図である。
【図４】原稿位置付けの直後の状態を示す模式図である。
【図５】ＡＤＦを持ち上げてプラテンガラス上を解放した状態を示す模式図である。
【図６】ＡＤＦの下面を拡大して示す模式図である。
【符号の説明】
【００８５】
１  自動原稿搬送装置（ＡＤＦ）
１１０  搬送ベルト
１２５  スケール板
１９３  基準面（基準領域）
１９５  位置規制部材
２  画像読み取り部（読み取り装置）
３  画像形成部
４  ベルト設置部
５  給紙部
【図１】
2005274810.tif 000003
【図２】
2005274810.tif 000004
【図３】
2005274810.tif 000005
【図４】
2005274810.tif 000006
【図５】
2005274810.tif 000007
【図６】
2005274810.tif 000008